(57)【要約】【課題】適切な取り扱いをユーザーに促すことができる電気掃除機を提供すること。【解決手段】ロック機構部を有する集塵装置と、前記ロック機構部によって前記集塵装置をロックおよびロック解除可能に載置する載置部を有しかつ電動送風機を内蔵する駆動装置とを備え、  前記集塵装置は、前記駆動装置の前記載置部に載置され前記ロック機構部にてロックされた前記集塵装置のロックを解除可能な操作ハンドルを有し、  前記操作ハンドルのロック解除操作が、前記ロック解除操作の後に前記集塵装置を前記載置部から持ち上げるときに前記操作ハンドルを引き上げる方向とは異なる方向に前記操作ハンドルを動かす操作であることを特徴とする電気掃除機。【選択図】図４
2020137835.tif 000002
【特許請求の範囲】
【請求項１】
ロック機構部を有する集塵装置と、前記ロック機構部によって前記集塵装置をロックおよびロック解除可能に載置する載置部を有しかつ電動送風機を内蔵する駆動装置とを備え、
前記集塵装置は、前記駆動装置の前記載置部に載置され前記ロック機構部にてロックされた前記集塵装置のロックを解除可能な操作ハンドルを有し、
前記操作ハンドルのロック解除操作が、前記ロック解除操作の後に前記集塵装置を前記載置部から持ち上げるときに前記操作ハンドルを引き上げる方向とは異なる方向に前記操作ハンドルを動かす操作であることを特徴とする電気掃除機。
【請求項２】
前記ロック解除操作が、前記操作ハンドルを押す操作または回す操作または押し回す操作である請求項１に記載の電気掃除機。
【請求項３】
前記駆動装置は、前記載置部に係止凹部を有し、
前記集塵装置は、前記載置部に前記集塵装置が載置された状態において外部に露出する露出面を有する外郭部と、前記外郭部に設けられた前記ロック機構部とを備え、
前記ロック機構部は、前記外郭部の前記露出面側へ接近する接近方向および前記露出面から突出する突出方向に移動可能な前記操作ハンドルと、前記係止凹部と係止可能な係止凸部と、前記操作ハンドルのロック解除操作を前記係止凸部の直線的な移動に変換する移動方向変換部とを有し、
前記外郭部は、前記接近方向に移動した前記操作ハンドルを収納する収納凹部を前記露出面に有し、
前記操作ハンドルは、前記収納凹部内に収納された状態において前記外郭部の前記露出面と略同一面内に配置される外面を有する請求項１または２に記載の電気掃除機。
【請求項４】
前記接近方向および前記突出方向が同一の第１直線方向であり、
前記移動方向変換部は、第１傾斜面を有し前記第１直線方向に移動可能に前記操作ハンドルに連結された第１移動部材と、前記第１直線方向に移動する前記第１移動部材の前記第１傾斜面と摺接する第２傾斜面を有し前記第１直線方向と略垂直な第２直線方向に移動可能な第２移動部材と、前記第２傾斜面が前記第１傾斜面を押圧する方向に前記第２移動部材を付勢するオルタネイト動作方式の付勢部材とを備え、
前記係止凸部が、前記第２移動部材に連結されている請求項３に記載の電気掃除機。
【請求項５】
前記接近方向および前記突出方向が同一の第１直線方向であり、
前記操作ハンドルは、前記第１直線方向と平行な軸心を中心として回動可能に前記外郭部に設けられており、
前記移動方向変換部は、前記操作ハンドルにかつ前記軸心上に連結された軸部と、前記軸心を中心として回動可能に前記軸部に連結されたカム部と、回動する前記カム部と摺接して前記第１直線方向と略垂直な第２直線方向に移動する移動部材とを有し、
前記係止凸部が、前記移動部材に連結されている請求項３に記載の電気掃除機。
【請求項６】
前記移動方向変換部が、前記操作ハンドルを前記突出方向へ付勢する付勢部材をさらに有する請求項５に記載の電気掃除機。
【請求項７】
前記操作ハンドルは、軸を介して前記外郭部に回動可能に設けられており、
前記移動方向変換部は、前記軸の軸心方向と略垂直な第１直線方向に移動可能な第１移動部材と、前記第１直線方向と略垂直な第２軸心方向に移動可能な第２移動部材と、付勢部材とを有し、
前記第１移動部材は、前記軸を中心として回動する前記操作ハンドルと摺接可能な第１傾斜面と、前記第１傾斜面の前記第１直線方向の反対側に設けられた第２傾斜面とを有し、
前記第２移動部材は、前記第１直線方向に移動する前記第１移動部材の前記第２傾斜面と摺接する第３傾斜面を有し、
前記付勢部材は、前記第３傾斜面が前記第２傾斜面を押圧する方向に前記第２移動部材を付勢し、
前記係止凸部が、前記第２移動部材に連結されている請求項３に記載の電気掃除機。
【発明の詳細な説明】
【技術分野】
【０００１】
本発明は、電気掃除機に関する。
【背景技術】
【０００２】
従来の電気掃除機として、特許文献１には、電動送風機を内蔵する駆動装置と、塵埃を捕捉する集塵装置とを有する掃除機本体を備えたものが公知である。この掃除機本体において、駆動装置は、集塵装置を着脱可能に載置する載置部と、載置部に設けられた一対の係止凹部とを有する。また、集塵装置は、ケース部の上部の分離体に揺動可能に設けられ操作ハンドル部と、前記一対の係止凹部と係止可能な一対の係止爪部とを有し、集塵装置を駆動装置から取り外す際は、操作ハンドル部を掴んで引き上げることによって各係止爪部が揺動して各係止凹部から離脱するように構成されている。
【先行技術文献】
【特許文献】
【０００３】
【特許文献１】特開２０１４−２３８５９号公報
【発明の概要】
【発明が解決しようとする課題】
【０００４】
前記従来の電気掃除機の掃除機本体には、駆動装置の載置部近傍に持ち運び用のハンドルが設けられているが、ユーザーが掃除機本体を持ち運ぶ際に誤って集塵装置の操作ハンドル部を掴んで引き上げてしまい、それによって各係止爪部は各係止凹部から離脱して集塵装置が駆動装置から取り外されてしまう状況があった。
【０００５】
本発明は、このような事情を考慮したものであり、ユーザーが適切な取り扱いをすることができる電気掃除機を提供することを目的とする。
【課題を解決するための手段】
【０００６】
本発明によれば、ロック機構部を有する集塵装置と、前記ロック機構部によって前記集塵装置をロックおよびロック解除可能に載置する載置部を有しかつ電動送風機を内蔵する駆動装置とを備え、
前記集塵装置は、前記駆動装置の前記載置部に載置され前記ロック機構部にてロックされた前記集塵装置のロックを解除可能な操作ハンドルを有し、
前記操作ハンドルのロック解除操作が、前記ロック解除操作の後に前記集塵装置を前記載置部から持ち上げるときに前記操作ハンドルを引き上げる方向とは異なる方向に前記操作ハンドルを動かす操作である電気掃除機が提供される。
【発明の効果】
【０００７】
本発明の電気掃除機は、操作ハンドルのロック解除操作と、ロック解除操作の後に集塵装置を載置部から持ち上げるときの操作ハンドルの引き上げ操作とが、前記操作ハンドルを互いに異なる方向に動かす操作となっている。そのため、駆動装置を持ち運ぶ際にユーザーが誤って操作ハンドルを引き上げてもロック機構部のロックが解除されず、集塵装置が駆動装置から離脱することがない。
【図面の簡単な説明】
【０００８】
【図１】本発明の第１実施形態の電気掃除機を示す斜視図である。
【図２】第１実施形態の電気掃除機における駆動装置の上方から視た斜視図である。
【図３】第１実施形態の電気掃除機における集塵装置の載置部へのロック状態を説明する断面図である。
【図４】第１実施形態の集塵装置におけるロック機構部の作動原理図であって（Ａ）はロック状態、（Ｂ）はロック解除状態である。
【図５】第２実施形態の集塵装置におけるロック機構部の作動原理図であって（Ａ）はロック状態、（Ｂ）はロック解除状態である。
【図６】第３実施形態の集塵装置におけるロック機構部の作動原理図であって（Ａ）はロック状態、（Ｂ）はロック解除状態である。
【発明を実施するための形態】
【０００９】
（第１実施形態）
＜電気掃除機の全体構成＞
図１は本発明の第１実施形態の電気掃除機を示す斜視図であり、図２は第１実施形態の電気掃除機における駆動装置の上方から視た斜視図であり、図３は第１実施形態の電気掃除機における集塵装置の載置部へのロック状態を説明する断面図である。なお、図２および図３において、駆動装置１１の前後左右上下の方向を矢印にて示している。
【００１０】
図１〜図３に示すように、この電気掃除機１は、掃除機本体１０と、掃除機本体１０の管状の接続部１１ａと着脱可能に接続される可撓性ホース２０と、可撓性ホース２０の空気が流れる方向（気流方向）の上流端側に設けられたハンドル３０と、ハンドル３０に設けられた電源スイッチ、パワー切り替えスイッチ等を有する操作スイッチ部４０と、可撓性ホース２０の上流端側の接続部２０ａに着脱可能に接続される延長管５０と、延長管５０の上流端側の接続部５０ａに着脱可能に接続される吸込口体６０とを備えたキャニスター型電気掃除機である。
【００１１】
掃除機本体１０は、駆動装置１１と、駆動装置１１に着脱可能に載置される集塵装置１２とを備える。
駆動装置１１は、筐体１１ｂ内に電動送風機（不図示）を内蔵し、筐体１１ｂの左右に設けられた一対の車輪１１ｃと、筐体１１ｂの底部に設けられた前輪（不図示）と、筐体１１ｂの後部に設けられた排気口１１ｄと、筐体１１ｂの前部に設けられて集塵装置１２を着脱可能に載置する載置部１１ｅとを有する。
【００１２】
載置部１１ｅは、上方開口部を有する有底の略円筒形に形成された部分であり、この略円筒形のスペースの中に集塵装置１２が収まるようになっている。
また、載置部１１ｅは、次に説明する窓部１１ｅａおよび係止凹部１１ｅｂを有している。
窓部１１ｅａは、載置部１１ｅの周壁部の高さ方向の中間位置に設けられており、載置部１１ｅに載置された集塵装置１２の後述する集塵容器１２ａ内に溜まった塵埃が窓部１１ｅａから目視できるようになっている。
【００１３】
係止凹部１１ｅｂは、載置部１１ｅの周壁部の上部における左右側設けられており、載置部１１ｅに載置された集塵装置１２の後述する係止凸部１２ｄｂと係脱可能に係合するようになっている。なお、本実施形態では、周壁部の右側の１箇所に係止凹部１１ｅｂが設けられた場合を例示している。
【００１４】
また、載置部１１ｅの周壁部の前部に前記接続部１１ａが設けられており、接続部１１ａの内部と載置部１１ｅの内部スペースとが連通している。なお、接続部１１ａにおける載置部１１ｅ側の開口部１１ｅｃが、載置部１１ｅに載置された集塵装置１２の後述する集塵容器１２ａの空気導入口１２ａｂと気密に接続するようになっている。
【００１５】
また、筐体１１ｂにおける載置部１１ｅ側の面には、筐体１１ｂ内の電動送風機（不図示）が収容されて排気口１１ｄと連通している通風路（不図示）の空気流入口１１ｆが設けられている。この空気流入口１１ｆは、載置部１１ｅに載置された集塵装置１２の後述する集塵容器１２ａの空気排出口（不図示）と気密に接続するようになっている。
【００１６】
また、筐体１１ｂ内の後部にはコードリール（不図示）が設けられており、コードリールに巻き取られた電源コード（不図示）の先端の接続プラグ１１ｇが筐体１１ｂの後部から引き出し可能となっている。また、筐体１１ｂの後部上面には、引き出した電源コードをコードリールにて巻き取るときの巻き取り開始ボタン１１ｈが設けられている。さらに、載置部１１ｅの周壁部における接続部１１ａの上方位置には、駆動装置１１を持ち運ぶ際に握る略Ｕ字形のハンドル１１ｉが設けられている。なお、駆動装置１１はバッテリー駆動方式であってもよい。
【００１７】
＜集塵装置の構成＞
図３に示すように、集塵装置１２は、その外郭部を構成する集塵容器１２ａおよびカバー部１２ｂと、集塵容器１２ａ内に収納される濾過部１２ｃと、カバー部１２ｂ内に設けられたロック機構部１２ｄとを備える。
【００１８】
［集塵容器］
集塵容器１２ａは、上方開口部を有する有底の略円筒形に形成されており、その周壁部１２ａａの一部には前記空気導入口１２ａｂが設けられている。
【００１９】
［カバー部］
カバー部１２ｂは、集塵容器１２ａの上方開口部に取り付けられて集塵容器１２ａの内部の濾過部１２ｃを覆うものであり、円環状の上壁部１２ｂａおよび円筒形の周壁部１２ｂｂを有しており、下方開口状に形成されている。
カバー部１２ｂにおいて、周壁部１２ｂｂの一部には前記空気排出口（不図示）が設けられると共に、周壁部１２ｂｂの他部にはロック機構部１２ｄの後述する第２移動部材１２ｈが挿通する外側挿通孔１２ｂｃが設けられている。なお、集塵装置１２が駆動装置１１の載置部１１ｅに載置された状態において、集塵容器１２ａの空気導入口１２ａｂは前方に配置され、図示しない空気排出口は後方に配置され、外側挿通孔１２ｂｃは右側に配置される。
【００２０】
また、カバー部１２ｂの上壁部１２ｂａの中央位置にはロック機構部１２ｄが収納される上方開口状の凹部１２ｂｄが設けられると共に、凹部１２ｂｄの周壁部の下部にはロック機構部１２ｄの後述する第２移動部材１２ｈが挿通する内側挿通孔１２ｂｅが設けられている。なお、内側挿通孔１２ｂｅと外側挿通孔１２ｂｃとは側方から見た場合、互いに重なる位置で開口している。
【００２１】
［濾過部］
濾過部１２ｃは、集塵容器１２ａの上方開口部に嵌め込まれるフィルター部１２ｃａと、フィルター部１２ｃａフィルター部１２ｃａから垂れ下がるように設けられたメッシュ筒部（２点鎖線の部分）１２ｃｂとを有する。
フィルター部１２ｃａは、カップ形の保持部材内にプリーツ状のフィルター本体が保持されてなる。
メッシュ筒部１２ｂｃは、メッシュ部材が巻き付けられた外筒枠体と、外筒枠体内に設けられた内筒枠体とを有し、その外筒枠体がフィルター部１２ｃａの保持部材にされている。
【００２２】
また、フィルター部１２ｃａの上部にはフィルター本体を振動させてフィルター本体に付着した塵埃を落とす除塵部１２ｅが設けられると共に、メッシュ筒部１２ｂｃの下部には集塵容器１２ａ内の塵埃を圧縮する圧縮部１２ｆが設けられている。
除塵部１２ｅは、フィルター部１２ｃａを貫通する軸部に連結された複数の摺動部材を有している。
圧縮部１２ｆは、メッシュ筒部１２ｂｃの下端と連結する筒体の外周面に螺旋羽根が設けられてなる。
【００２３】
この濾過部１２ｃによれば、集塵容器１２ａからカバー部１２ｂを取り外した状態において、軸部を中心に除塵部１２ｅを手動で回動させることにより、複数の摺動部材がフィルター本体に摺動し、それによってフィルター本体が振動してフィルター本体に付着した塵埃が集塵容器１２ａ内に落とされる。またこのとき、軸部の回動がメッシュ筒部１２ｃｂの内筒枠体を介して圧縮部１２ｆに伝達され、それによって圧縮部１２ｆの螺旋羽根が回動して集塵容器１２ａ内の塵埃を圧縮する。
【００２４】
［ロック機構部］
図４は第１実施形態の集塵装置におけるロック機構部の作動原理図であって（Ａ）はロック状態、（Ｂ）はロック解除状態である。
図３と図４に示すように、ロック機構部１２ｄは、集塵装置１２の外郭部としてのカバー部１２ｂに設けられた操作ハンドル１２ｄａと、駆動装置１１の載置部１１ｅの係止凹部１１ｅｂと係止可能な係止凸部１２ｄｂと、操作ハンドル１２ｄａのロック解除操作を係止凸部１２ｄｂの直線的な移動に変換する後述の移動方向変換部とを有する。
【００２５】
操作ハンドル１２ｄａは、円形板状に形成されており、カバー部１２ｂの前記凹部１２ｂｄの上部を構成する収納凹部１２ｂｆ内に収納可能となっている。なお、収納凹部１２ｂｆの内部底面に、例えば、スポンジ等のクッション材１２ｘが設けられてもよい。
また、操作ハンドル１２ｄａが収納凹部１２ｂｆ内に収納された状態において、操作ハンドル１２ｄａの上面である上外面１２ｄｄは、カバー部１２ｂの上壁部１２ｂａの上面（露出面）１２ｂｇと略同一面内に配置される。つまり、操作ハンドル１２ｄａの上外面１２ｄｄは、カバー部１２ｂの上壁部１２ｂａの上面１２ｂｇと同一面内に配置されてもよく、あるいは収納凹部１２ｂｆ内に埋没してもよく、あるいは人の指で操作ハンドル１２ｄａが掴めない程度に上面１２ｂｇから突出してもよい。
【００２６】
本実施形態の場合、移動方向変換部は、第１移動部材１２ｇと、第２移動部材１２ｈと、オルタネイト動作方式の付勢部材１２ｉとを備える。
第１移動部材１２ｇは、第１傾斜面１２ｇａを有する直方体形に形成されており、第１直線方向Ａに移動可能に操作ハンドル１２ｄａに連結されている。
ここで、第１直線方向Ａとは、操作ハンドル１２ｄａが、カバー部１２ｂの上面１２ｂｇ側へ接近する接近方向および上面１２ｂｇから突出する突出方向である。図３においては第１直線方向Ａは上下方向である。
また、第１移動部材１２ｇは、カバー部１２ｂ内に設けられたリブ構造によって第１直線方向Ａに移動可能に支持されている。
また、第１傾斜面１２ｇａは、横方向から視て（図４（Ｂ）参照）、第１直線方向Ａに対して４５°程度の傾斜角度θ１で傾斜した面である。
【００２７】
第２移動部材１２ｈは、第１移動部材１２ｇの第１傾斜面１２ｇａ側の下端を挿入する孔部１２ｈｂを有する直方体形に形成されている。また、孔部１２ｈｂには、第１直線方向Ａに移動する第１移動部材１２ｇの第１傾斜面１２ｇａと摺接する第２傾斜面１２ｈａを有している。
また、第２移動部材１２ｈは、カバー部１２ｂ内に設けられたリブ構造によって、第１直線方向Ａと略垂直な第２直線方向Ｂに移動可能に支持されている。図３においては、第２直線方向Ｂは左右方向である。
また、第２傾斜面１２ｈａは、横方向から視て（図４（Ｂ）参照）、第２直線方向Ｂに対して４５°程度の傾斜角度θ２で傾斜した面である。
【００２８】
第２移動部材１２ｈにおいて、第２直線方向Ｂの両端のうちの一方の端部、つまり、第１移動部材１２ｇが下降したときに第２移動部材１２ｈが移動する方向側の端部に、係止凸部１２ｄｂが連設されている。すなわち、係止凸部１２ｄｂは、第２移動部材１２ｈのカバー部１２ｂから外部へ突出可能な端部である（図４（Ａ）参照）。
【００２９】
オルタネイト動作方式の付勢部材１２ｉは、公知のオルタネイト動作方式のスイッチと同様の作動原理で伸長または短縮する軸部１２ｉｂを有するものである。
この付勢部材１２ｉは、カバー部１２ｂ内に設けられたリブ構造によって、軸部１２ｉｂが第２直線方向Ｂに移動可能に支持されている。
また、付勢部材１２ｉは、本体部１２ｉａがリブ構造に固定され、本体部１２ｉａに対して伸長または短縮動作する軸部１２ｉｂが第２移動部材１２ｈに連結された連結片１２ｈｃに固定されている（図４（Ｂ）参照）。
【００３０】
このように構成されたロック機構部１２ｄは、図３および図４（Ａ）に示すロック状態において、第２移動部材１２ｈの係止凸部１２ｄｂがカバー部材１２ｂの外側挿通孔１２ｂｃから外部へ突出している。つまり、集塵装置１２が駆動装置１１の載置部１１ｅ内に載置された状態では、ロック機構部１２ｄの係止凸部１２ｄｂが載置部１１ｅの係止凹部１１ｅｂに入り込んだ（係止した）ロック状態となることができる。
【００３１】
このとき、集塵装置１２の操作ハンドル１２ｄａはカバー部１２ｂの収納凹部１２ｂｆ内に収納されているため、操作ハンドル１２ｄａの上外面１２ｄｄはカバー部材１２ｂの上面１２ｂｇと略同一面内に配置されてフラットな状態となっている。また、付勢部材１２ｉは軸部１２ｉｂが本体部１２ｉａ内に入り込んだ短縮状態となっている。
【００３２】
図４（Ａ）に示したロック機構部１２ｄのロック状態を解除する際は、操作ハンドル１２ｄａを押すとクッション材１２ｘが圧縮されて第１移動部材１２ｇが少し押される。このとき、第１移動部材１２ｇの第１傾斜面１２ｇａが第２移動部材１２ｈの第２傾斜面１２ｈａに摺接し、それによって第２移動部材１２ｈが第２直線方向Ｂの係止凸部１２ｄｂ側へ少し移動する。これと同時に、第２移動部材１２ｈの連結片１２ｈｃが第２直線方向Ｂの係止凸部１２ｄｂ側へ少し移動するため、付勢部材１２ｉの軸部１２ｉｂが少し押される。
【００３３】
付勢部材１２ｉはオルタネイト動作方式であるため、軸部１２ｉｂが少し押されると、図４（Ｂ）に示すように、付勢部材１２ｉは軸部１２ｉｂが本体部１２ｉａから延びた伸長状態となり、これによって第２移動部材１２ｈが第２直線方向Ｂの係止凸部１２ｄｂとは反対側へ移動する。この結果、係止凸部１２ｄｂが駆動装置１１の載置部１１ｅの係止凹部１１ｅｂから離脱してロックが解除される。
このように、ロック機構部１２ｄのロック解除操作は、操作ハンドル１２ｄａを押すことにより行われる。
【００３４】
また、第２移動部材１２ｈが係止凸部１２ｄｂとは反対側へ移動することによって、第２移動部材１２ｈの第２傾斜面１２ｈａが第１移動部材１２ｇの第１傾斜面１２ｇａに摺接し、それによって第１移動部材１２ｇが第１直線方向Ａの操作ハンドル１２ｄａ側へ移動する。これにより、操作ハンドル１２ｄａはカバー部１２ｂの上面１２ｂｇから突出するため、ユーザーは操作ハンドル１２ｄａを掴んで集塵装置１２を駆動装置１１の載置部１１ｅから引き上げて取り外すことができる。
【００３５】
また、集塵装置１２を再び駆動装置１１の載置部１１ｅに装着し、操作ハンドル１２ｄａをカバー部１２ｂの収納凹部１２ｂｆ内へ押し込む、つまり、操作ハンドル１２ｄａがカバー部１２ｂの上面１２ｂｇに接近する方向に移動すると、図４（Ａ）に示すように、第１移動部材１２ｇが第１直線方向Ａの第２移動部材１２ｈ側へ移動する。このとき、第１移動部材１２ｇの第１傾斜面１２ｇａが第２移動部材１２ｈの第２傾斜面１２ｈａに摺接し、それによって第２移動部材１２ｈが第２直線方向Ｂの係止凸部１２ｄｂ側へ移動し、係止凸部１２ｄｂが載置部１１ｅの係止凹部１１ｅｂに係止してロック状態となる。またこれと同時に、第２移動部材１２ｈの連結片１２ｈｃが第２直線方向Ｂの係止凸部１２ｄｂ側へ移動するため、付勢部材１２ｉの軸部１２ｉｂが短縮状態となる。
このように、ロック機構部１２ｄのロック操作も、操作ハンドル１２ｄａを押すことにより行われる。
【００３６】
＜使用時の電気掃除機について＞
次に、図１〜図４を参照しながら、使用時の電気掃除機１について説明する。
電気掃除機１は使用可能な状態において、集塵装置１２が駆動装置１１の載置部１１ｅ内に挿入され載置されている。この状態では、集塵装置１２のロック機構部１２ｄが前記のように載置部１１ｅに対してロック状態となっている(図３および図４（Ａ）参照)。このとき、集塵装置１２の操作ハンドル１２ｄａの上外面１２ｄｄとカバー部１２ｂの上面１２ｂｇとは、それらの間に段差がほとんど無いフラットな連続した面となっている。したがって、掃除機本体１０を持ち運ぶ際、集塵装置１２の上面には手で掴める突起物が存在しないため、ユーザーは駆動装置１１のハンドル１１ｉが持ち運び用のハンドルであることを容易に認識することができる（図１参照）。これにより、ユーザーが誤って、集塵装置１２の操作ハンドル１２ｄａを持って掃除機本体１０を持ち運ぶ可能性を低減できる。
【００３７】
操作スイッチ部４０の電源スイッチをＯＮすると、駆動装置１１内の電動送風機（不図示）が駆動し、吸込口体６０の吸込口（不図示）に被清掃面上の塵埃を含む空気（塵埃含有空気）が吸引され、塵埃含有空気は延長管５０および可撓性ホース２０を介して集塵装置１２の集塵容器１２ａ内に流入する。集塵容器１２ａ内に流入した塵埃含有空気中の比較的大きな第１の塵埃は遠心力によって集塵容器１２ａの内面を旋回し、第１の塵埃よりも小さい第２の塵埃を含む空気はメッシュ筒部１２ｃｂを通過してフィルター部１２ｃａに向かう。第２の塵埃はフィルター部１２ｃａにて捕捉され、フィルター部１２ｃａを通過した第２の塵埃が除去された空気はカバー部１２ｂ内から駆動装置１１内に流入し、排気口１１ｄから排出される。
【００３８】
電源スイッチをＯＦＦして清掃作業の終了し、集塵装置１２を駆動装置１１から取り外す際は、前記のように操作ハンドル１２ｄａを押すと、操作ハンドル１２ｄａが上方へ突出するため、ユーザーは操作ハンドル１２ｄａを掴んで集塵装置１２を引き上げて駆動装置１１から取り外すことができる（図４（Ｂ）参照）。
【００３９】
このように、本実施形態によれば、操作ハンドル１２ｄａを押すことによるロック機構部１２ｄのロック解除操作と、集塵装置１２を駆動装置１１から取り外す際の操作ハンドル１２ｄａの引き上げ操作とは、操作ハンドル１２ｄａを動かす方向が互いに異なっている。それに加え、駆動装置１１にロック状態で装着された集塵装置１２の操作ハンドル１２ｄａはユーザーが掴めない状態となっている。
したがって、本実施形態によれば、ユーザーが駆動装置１１を持ち上げようとしたときに誤って操作ハンドル１２ｄａを引き上げ、それによってロック解除および集塵装置１２の引き上げが行われて集塵装置１２が意図せずに駆動装置１１から取り外されてしまうという状況が生じない。
【００４０】
集塵装置１２のカバー部１２ｂを集塵容器１２ａから取り外した後、除塵部１２ｅを回動させることによりフィルター部１２ｃａに付着した塵埃を振動によって集塵容器１２ａ内に落とすことができる。このとき、圧縮部１２ｆが回動して集塵容器１２ａの底部に溜まった塵埃が圧縮される。
また、集塵容器１２ａ内の塵埃がある程度溜まり、圧縮部１２ｆによって塵埃を圧縮しにくくなったときは、濾過部１２ｃおよびこれと連結した圧縮部１２ｆを集塵容器１２ａから取り外し、集塵容器１２ａを傾けて塵埃をゴミ箱へ廃棄することができる。
【００４１】
（第２実施形態）
図５は第２実施形態の集塵装置におけるロック機構部の作動原理図であって（Ａ）はロック状態、（Ｂ）はロック解除状態である。なお、図５（Ａ）および（Ｂ）において、図４（Ａ）および（Ｂ）中の要素と同様の要素には同一の符号を付している。
第２実施形態の電気掃除機は、集塵装置１１２のロック機構部１１２ｄが第１実施形態と異なる以外は、第１実施形態と同様に構成されている。以下、第２実施形態における第１実施形態とは異なる点を主に説明する。
【００４２】
図５（Ａ）および（Ｂ）に示すように、第２実施形態のロック機構部１１２ｄにおいて、操作ハンドル１１２ｄａは、前記第１直線方向Ａと平行な軸心Ｐを中心として回動可能にカバー部１１２ｂに設けられている。
【００４３】
ロック機構部１１２ｄの移動方向変換部は、操作ハンドル１１２ｄａにかつ軸心Ｐ上に連結された円柱形の軸部１１２ｇと、軸心Ｐを中心として回動可能に軸部１１２ｇの下端に連結されたカム部１１２ｊと、回動するカム部１１２ｊと摺接して第１直線方向Ａと略垂直な第２直線方向Ｂに移動する移動部材１１２ｈと、操作ハンドル１１２ｄａを突出方向へ付勢する付勢部材１１２ｉとを有し、係止凸部１２ｄｂが移動部材１１２ｈに連結されている。なお、軸部１１２ｇ、移動部材１１２ｈおよび付勢部材１１２ｉは、カバー部１１２ｂ内のリブ構造にて支持されている。
【００４４】
操作ハンドル１１２ｄａは、外周部に複数の指掛け凹部１１２ｄｆを有している。これにより、カバー部１１２ｂの収納凹部１１２ｂｆ内に収納された操作ハンドル１１２ｄａの複数の指掛け凹部１１２ｄｆに、ユーザーは指先を引っ掛けて操作ハンドル１１２ｄａを軸心Ｐを中心として回動させることができる。なおこの場合も、操作ハンドル１１２ｄａの上外面１１２ｄｄは、カバー部１１２ｂの上面１１２ｂｇと略同一面内に配置されている。
【００４５】
付勢部材１１２ｉは、軸部１１２ｇの周囲に設けられた圧縮コイルバネであり、カバー部１１２ｂ内のリブ構造にて下端が支持されると共に、上端が操作ハンドル１１２ｄａに当接して突出方向に付勢している。
カム部１１２ｊは、軸部１１２ｇの下端外周面の一部から突出した小カム１１２ｊａと、小カム１１２ｊａの下端に連設された大カム１１２ｊｂとを有する。
移動部材１１２ｈは、軸部１１２ｇおよびカム部１１２ｊを挿通させる円形状の孔部１１２ｈｂを有する直方体形に形成されている。
【００４６】
図５（Ａ）に示したロック機構部１１２ｄのロック状態において、カム部１１２ｊは係止凸部１２ｄｂ側へ移動しており、このとき、小カム１１２ｊｂが移動部材１１２ｈの孔部１１２ｈｂの内周面に当接し、大カム１１２ｊａは移動部材１１２ｈの下面に引っ掛かっている。これにより、付勢部材１１２ｉの付勢力に抗して操作ハンドル１１２ｄａの収納凹部１１２ｂｆ内の収納状態が維持されている。
【００４７】
このとき、集塵装置１１２の操作ハンドル１１２ｄａはカバー部１１２ｂの収納凹部１１２ｂｆ内に収納されているため、操作ハンドル１１２ｄａの上外面１１２ｄｄはカバー部材１１２ｂの上面１１２ｂｇと略同一面内に配置されてフラットな状態となっている。
【００４８】
ロック機構部１１２ｄのロック状態を解除する際は、操作ハンドル１１２ｄａを軸心Ｐを中心として回動させることにより、図５（Ｂ）に示すように、カム部１１２ｊが係止凸部１２ｄｂとは反対側へ回動する。この間、小カム１１２ｊａが移動部材１１２ｈの孔部１１２ｈｂの内周面に摺接するため、移動部材１１２ｈは第２直線方向Ｂの係止凸部１２ｄｂとは反対側へ移動する。この結果、係止凸部１２ｄｂが駆動装置１１の載置部１１ｅの係止凹部１１ｅｂから離脱してロックが解除される（図１、図３参照）。
このように、ロック機構部１１２ｄのロック解除操作は、操作ハンドル１２ｄａを回すことにより行われる。
【００４９】
カム部１１２ｊが中心角度１８０°近くまで回動すると、付勢部材１１２ｉによって操作ハンドル１１２ｄａ、軸部１１２ｇおよびカム部１１２ｊが第１直進方向Ａの操作ハンドル１１２ｄａ側へ移動する。これにより、小カム１１２ｊａが移動部材１１２ｈの孔部１１２ｈｂ内から出ると共に、大カム１１２ｊｂが孔部１１２ｈｂ内に移動する。また、カム部１１２ｊがカバー部１１２ｂ内のリブ構造に引っ掛かって軸部１１２ｇが抜け止めされる。なお、大カム１１２ｊｂが移動部材１１２ｈの孔部１１２ｈｂ内にスムーズに移動できるよう、カム部１１２ｊと移動部材１１２ｈとの摺接面は滑らかにカーブしてもよい。
【００５０】
このようにして操作ハンドル１１２ｄａはカバー部１１２ｂの上面１１２ｂｇから突出するため、ユーザーは操作ハンドル１１２ｄａを掴んで集塵装置１１２を駆動装置１１の載置部１１ｅから引き上げて取り外すことができる（図１、図３参照）。
【００５１】
また、集塵装置１１２を再び駆動装置１１の載置部１１ｅに装着し、操作ハンドル１１２ｄａをカバー部１１２ｂの収納凹部１１２ｂｆ内へ押し込む、つまり、操作ハンドル１１２ｄａがカバー部１１２ｂの上面１１２ｂｇに接近する方向に移動すると、カム部１１２ｊの小カム１１２ｊａが移動部材１１２ｈの孔部１１２ｈｂ内に移動する。その後、操作ハンドル１１２ｄａを軸心Ｐを中心として回動させると、図５（Ａ）に示すように、小カム１１２ｊａによって移動部材１１２ｈが第２直進方向Ｂの係止凸部１２ｄｂ側へ移動する。これにより、係止凸部１２ｄｂが載置部１１ｅの係止凹部１１ｅｂに係止してロック状態となる（図３参照）。
このように、ロック機構部１２ｄのロック操作は、操作ハンドル１２ｄａを押し回すことにより行われる。
【００５２】
（第３実施形態）
図６は第３実施形態の集塵装置におけるロック機構部の作動原理図であって（Ａ）はロック状態、（Ｂ）はロック解除状態である。なお、図６（Ａ）および（Ｂ）において、図４（Ａ）および（Ｂ）中の要素と同様の要素には同一の符号を付している。
第３実施形態の電気掃除機は、集塵装置２１２のロック機構部２１２ｄが第１実施形態と異なる以外は、第１実施形態と同様に構成されている。以下、第３実施形態における第１実施形態とは異なる点を主に説明する。
【００５３】
図６（Ａ）および（Ｂ）に示すように、第３実施形態のロック機構部２１２ｄにおいて、円板形の操作ハンドル２１２ｄａは、前記第１直線方向Ａと略垂直な軸２１２ｄｘを中心として回動可能にカバー部２１２ｂに設けられている。
また、カバー部２１２ｂの収納凹部２１２ｂｆは略半球状に形成されている。
【００５４】
また、操作ハンドル２１２ｄａは、軸２１２ｄｘの軸心方向と直交する方向の一端に操作ハンドル２１２ｄａを掴みやすくする折れ片状の指掛け片部２１２ｄｙが設けられると共に、指掛け片部２１２ｄｙとは反対側の他端には切欠き部２１２ｄｚが設けられている。なお、軸２１２ｄｘを中心に操作ハンドル２１２ｄａが回動したときに指掛け片部２１２ｄｙおよび切欠き部２１２ｄｚ側の端部はカバー部２１２ｂに当たらないよう湾曲している。
また、カバー部２１２ｂの収納凹部２１２ｂｆにおける開口端縁の一部には、操作ハンドル２１２ｄａの切欠き部２１２ｄｚに当接する突起部２１２ｂｚが設けられている。
【００５５】
図６（Ａ）に示すように、この操作ハンドル２１２ｄａも、ロック機構部２１２ｄがロック状態のときには、操作ハンドル２１２ｄａの上外面２１２ｄｄとカバー部２１２ｂの上面２１２ｂｇとが略同一面内に配置されている。このとき、操作ハンドル２１２ｄａの指掛け片部２１２ｄｙが収納凹部２１２ｂｆ内に収納されると共に、切欠き部２１２ｄｚが突起部２１２ｂｚに当接することによって操作ハンドル２１２ｄａの軸２１２ｄｘを中心とする回動方向が規定されている。すなわち、操作ハンドル２１２ｄａの外面２１２ｄｄの指掛け片部２１２ｄｙ側を押しても操作ハンドル２１２ｄａが回らないようになっている。
【００５６】
ロック機構部２１２ｄの移動方向変換部は、軸２１２ｄｘの軸心方向と略垂直な第１直線方向Ａに移動可能な第１移動部材２１２ｇと、第１直線方向Ａと略垂直な第２軸心方向Ｂに移動可能な第２移動部材２１２ｈと、付勢部材２１２ｉとを有し、係止凸部１２ｄｂが第２移動部材２１２ｈに連結されている。なお、第１移動部材２１２ｇ、第２移動部材２１２ｈおよび付勢部材２１２ｉは、カバー部２１２ｂ内のリブ構造にて支持されている。
【００５７】
第１移動部材２１２ｇは、軸２１２ｄｘを中心として回動する操作ハンドル２１２ｄａと摺接可能な第１傾斜面２１２ｇａと、第１傾斜面２１２ｇａの第１直線方向Ａの反対側に設けられた第２傾斜面２１２ｇｂとを有する。
第２移動部材２１２ｈは、第１直線方向Ａに移動する第１移動部材２１２ｇの第２傾斜面２１２ｇｂと摺接する第３傾斜面２１２ｈａを有すると共に、第１移動部材２１２ｇの第２傾斜面２１２ｇｂ側の下端を挿通させる孔部２１２ｈｂを有している。
付勢部材２１２ｉは、第２移動部材２１２ｈの第３傾斜面２１２ｈａが第１移動部材２１２ｇの第２傾斜面２１２ｇｂを押圧する方向に第２移動部材２１２ｈを付勢する圧縮コイルスプリングである。
【００５８】
このように構成されたロック機構部２１２ｄは、図３および図６（Ａ）に示すロック状態において、付勢部材２１２ｉによって付勢された第２移動部材２１２ｈは第２直線方向Ｂの係止凸部１２ｄｂ側へ移動している。
このとき、集塵装置２１２の操作ハンドル２１２ｄａはカバー部２１２ｂの収納凹部２１２ｂｆ内に収納されているため、操作ハンドル２１２ｄａの上外面２１２ｄｄはカバー部材２１２ｂの上面２１２ｂｇと略同一面内に配置されてフラットな状態となっている。
【００５９】
ロック機構部２１２ｄのロック状態を解除する際は、操作ハンドル２１２ｄａの突起部２１２ｂｚ側の上外面２１２ｄｄを押すことにより、操作ハンドル２１２ｄａを軸２１２ｄｘを中心として回動させる。これにより、図６（Ｂ）に示すように、操作ハンドル２１２ｄａの切欠き部２１２ｄｚ側の端部が収納凹部２１２ｂｆの底部側へ移動すると共に、操作ハンドル２１２ｄａの折り返し２１２ｄｙ側の端部が収納凹部２１２ｂｆから外部へ突出する。また、操作ハンドル２１２ｄａの切欠き部２１２ｄｚ側の端部が第１移動部材２１２ｇの第１傾斜面２１２ｇａに摺接し、これによって第１移動部材２１２ｇが第１直線方向Ａの第２移動部材２１２ｈ側へ移動する。
【００６０】
また、移動する第１移動部材２１２ｇの第２傾斜面２１２ｇｂが第２移動部材２１２ｈの第３傾斜面２１２ｈａに摺接し、これによって第２移動部材２１２ｈは付勢部材２１２ｉの付勢力に抗して第２直線方向Ｂの係止凸部１２ｄｂとは反対側へ移動する。この結果、係止凸部１２ｄｂが駆動装置１１の載置部１１ｅの係止凹部１１ｅｂから離脱してロックが解除される（図１、図３参照）。
【００６１】
このように、ロック機構部２１２ｄのロック解除操作は、操作ハンドル２１２ｄａを押し回すことにより行われる。
また、ロック解除時には操作ハンドル２１２ｄａは指掛け片部２１２ｄｙ側の端部がカバー部２１２ｂの上面２１２ｂｇから突出するため、ユーザーは操作ハンドル２１２ｄａを掴んで集塵装置２１２を駆動装置１１の載置部１１ｅから引き上げて取り外すことができる（図１、図３参照）。
【００６２】
また、集塵装置２１２を再び駆動装置１１の載置部１１ｅに装着し、図６（Ａ）に示すように、操作ハンドル２１２ｄａの指掛け片部２１２ｄｙ側の端部をカバー部２１２ｂの収納凹部２１２ｂｆ内へ押し込む、つまり、操作ハンドル２１２ｄａの指掛け片部２１２ｄｙ側の端部がカバー部２１２ｂの上面２１２ｂｇに接近する方向に移動すると、操作ハンドル２１２ｄａの切欠き部２１２ｄｚ側の端部が第１移動部材２１２ｇから離れる。これにより、付勢部材２１２ｉにて付勢されている第２移動部材２１２ｈが係止凸部１２ｄｂ側へ移動し、このとき第２移動部材２１２ｈの第３傾斜面２１２ｈａが第１移動部材２１２ｇの第２傾斜面２１２ｇｂに摺接する。この結果、第１移動部材２１２ｇが操作ハンドル２１２ｄａ側へ移動し、かつ、係止凸部１２ｄｂが載置部１１ｅの係止凹部１１ｅｂに係止してロック状態となる（図３参照）。
このように、ロック機構部２１２ｄのロック操作は、操作ハンドル２１２ｄａを押し回すことにより行われる。
【００６３】
（他の実施形態）
１．第２実施形態（図５（Ａ）および（Ｂ））では、付勢部材１１２ｉを有するロック機構部１１２ｄを例示したが、付勢部材１１２ｉは省略してもよい。この場合、操作ハンドル１１２ｄａを回してロックを解除した後、操作ハンドル１１２ｄａを掴んで手動で引き上げて集塵装置１１２を持ち上げる。
【００６４】
２．第１〜第３実施形態では、集塵装置の操作ハンドルの上外面とカバー部の上面とが平坦な略同一面内に配置された場合を例示したが、操作ハンドルの上外面とカバー部の上面とは湾曲した略同一面内に配置されてもよい。このようにすれば、駆動装置の筐体の湾曲した外面と集塵装置の上面とを連続した面に構成してデザイン性を高めることができる。
【００６５】
３．第１実施形態（図１）では、集塵装置１２の周囲を包囲する載置部１１ｅを駆動装置１１に設けた場合を例示したが、集塵装置１２の周囲を包囲しないオープンタイプの載置部を有する駆動装置（例えば、特許文献１参照）にも集塵装置１２を対応させることができる。この場合、駆動装置のオープンタイプの載置部に係止凹部を２箇所形成する。また、集塵装置は、第１〜第３実施形態で説明したロック機構部をベースとして２つの係止凸部が２つの係止凹部に対して係脱するように構成する。このとき、２つの係止凸部は、平面的に視て、例えばＶ字方向のように互いに接近または離間する直線方向に往復移動する。
【００６６】
４．第１実施形態（図１）では、濾過部１２ｃのフィルター部１２ｃａを除塵する除塵部１２ｅと、集塵容器１２ａ内の塵埃を圧縮する圧縮部１２ｆとを有する集塵装置１２を例示したが、除塵部１２ｅおよび圧縮部１２ｆは省略されてもよい。
【００６７】
（まとめ）
本発明の電気掃除機は、ロック機構部を有する集塵装置と、前記ロック機構部によって前記集塵装置をロックおよびロック解除可能に載置する載置部を有しかつ電動送風機を内蔵する駆動装置とを備え、
前記集塵装置は、前記駆動装置の前記載置部に載置され前記ロック機構部にてロックされた前記集塵装置のロックを解除可能な操作ハンドルを有し、
前記操作ハンドルのロック解除操作が、前記ロック解除操作の後に前記集塵装置を前記載置部から持ち上げるときに前記操作ハンドルを引き上げる方向とは異なる方向に前記操作ハンドルを動かす操作である。
この構成によれば、操作ハンドルにてロック解除操作を行った後、ロック解除操作とは異なる操作ハンドルの引き上げ操作を行うことで集塵装置を駆動装置の載置部から持ち上げることができる。そのため、駆動装置を持ち運ぶ際にユーザーが誤って操作ハンドルを引き上げてもロック機構部のロックが解除されず、集塵装置が駆動装置から離脱することがない。また、この構成によれば、ロック解除操作時には操作ハンドルを掴みにくい状態にしておくことにより、ユーザーが操作ハンドルを掴んで駆動装置を持ち上げるといった不適切な取り扱いを抑制することが可能となる。
【００６８】
本発明の電気掃除機は、次のように構成されてもよく、それらが適宜組み合わされてもよい。
【００６９】
・前記ロック解除操作が、前記操作ハンドルを押す操作または回す操作または押し回す操作であってもよい。
この構成によれば、操作ハンドルを押すまたは回してロック解除操作を行ってからでなければ、操作ハンドルの引き上げ操作を行うことができないことをユーザーに認識させることができる。
【００７０】
・前記駆動装置は、前記載置部に係止凹部を有し、
前記集塵装置は、前記載置部に前記集塵装置が載置された状態において外部に露出する露出面を有する外郭部と、前記外郭部に設けられた前記ロック機構部とを備え、
前記ロック機構部は、前記外郭部の前記露出面側へ接近する接近方向および前記露出面から突出する突出方向に移動可能な前記操作ハンドルと、前記係止凹部と係止可能な係止凸部と、前記操作ハンドルのロック解除操作を前記係止凸部の直線的な移動に変換する移動方向変換部とを有し、
前記外郭部は、前記接近方向に移動した前記操作ハンドルを収納する収納凹部を前記露出面に有し、
前記操作ハンドルは、前記収納凹部内に収納された状態において前記外郭部の前記露出面と略同一面内に配置される外面を有するものであってもよい。
この構成によれば、ロック解除操作前の操作ハンドルは外郭部の収納凹部内に収納されて掴みにくい状態となっているため、ユーザーが操作ハンドルを掴んで駆動装置を持ち上げるといった不適切な取り扱いを抑制することができる。
【００７１】
・前記接近方向および前記突出方向が同一の第１直線方向であり、
前記移動方向変換部は、第１傾斜面を有し前記第１直線方向に移動可能に前記操作ハンドルに連結された第１移動部材と、前記第１直線方向に移動する前記第１移動部材の前記第１傾斜面と摺接する第２傾斜面を有し前記第１直線方向と略垂直な第２直線方向に移動可能な第２移動部材と、前記第２傾斜面が前記第１傾斜面を押圧する方向に前記第２移動部材を付勢するオルタネイト動作方式の付勢部材とを備え、
前記係止凸部が、前記第２移動部材に連結されてされてもよい。
この構成によれば、突出状態の操作ハンドルを掴みながら集塵装置を駆動装置の載置部に載置した後、操作ハンドルを押す（接近方向に移動させる）ことにより、第１移動部材が第１直線方向に移動し、移動する第１移動部材の第１傾斜面に第２傾斜面が摺接して第２移動部材が第２直線方向に移動して、係止凸部が係止凹部に係止してロック状態となる。このとき、付勢部材は短縮状態となっている。
また、操作ハンドルを再度押すことにより、第１および第２移動部材を介して付勢部材が再び押されて伸長状態となり、付勢部材が伸長することにより第２移動部材が逆方向に移動して係止凸部が係止凹部から離脱してロックが解除すると共に、第２および第１移動部材を介して操作ハンドルが自動的に突出方向に移動する。これにより、操作ハンドルを引き上げて集塵装置を載置部から取り外すことができる。
【００７２】
・前記接近方向および前記突出方向が同一の第１直線方向であり、
前記操作ハンドルは、前記第１直線方向と平行な軸心を中心として回動可能に前記外郭部に設けられており、
前記移動方向変換部は、前記操作ハンドルにかつ前記軸心上に連結された軸部と、前記軸心を中心として回動可能に前記軸部に連結されたカム部と、回動する前記カム部と摺接して前記第１直線方向と略垂直な第２直線方向に移動する移動部材とを有し、
前記係止凸部が、前記移動部材に連結されてもよい。
この構成によれば、突出状態の操作ハンドルを掴みながら集塵装置を駆動装置の載置部に載置した後、操作ハンドルを押して（接近方向に移動させて）から軸部を中心として一方向に回すことにより、回動するカム部によって移動部材が第２直線方向に移動して、係止凸部が係止凹部に係止してロック状態となる。
また、操作ハンドルを逆方向に回すことにより、回動するカム部によって移動部材が逆方向に移動して係止凸部が係止凹部から離脱してロックが解除し、操作ハンドルを引き上げる（突出方向に移動させる）ことにより集塵装置を載置部から取り外すことができる。
【００７３】
・前記移動方向変換部が、前記操作ハンドルを前記突出方向へ付勢する付勢部材をさらに有するものであってもよい。
この構成によれば、ロック解除操作をすると付勢部材によって操作ハンドルが自動的に突出方向に押し出されるため、引き上げ操作時にユーザーが操作ハンドルを掴みやすくなる。
【００７４】
・前記操作ハンドルは、軸を介して前記外郭部に回動可能に設けられており、
前記移動方向変換部は、前記軸の軸心方向と略垂直な第１直線方向に移動可能な第１移動部材と、前記第１直線方向と略垂直な第２軸心方向に移動可能な第２移動部材と、付勢部材とを有し、
前記第１移動部材は、前記軸を中心として回動する前記操作ハンドルと摺接可能な第１傾斜面と、前記第１傾斜面の前記第１直線方向の反対側に設けられた第２傾斜面とを有し、
前記第２移動部材は、前記第１直線方向に移動する前記第１移動部材の前記第２傾斜面と摺接する第３傾斜面を有し、
前記付勢部材は、前記第３傾斜面が前記第２傾斜面を押圧する方向に前記第２移動部材を付勢し、
前記係止凸部が、前記第２移動部材に連結されてもよい。
この構成によれば、突出状態の操作ハンドルを掴みながら集塵装置を駆動装置の載置部に載置した後、軸を中心として操作ハンドルを一方向（接近方向）に回すことにより、付勢部材によって第２移動部材が第２直線方向に移動して、係止凸部が係止凹部に係止してロック状態となる。
また、操作ハンドルを逆方向（突出方向）に回すことにより、操作ハンドルに第１傾斜面が摺接して第１移動部材が第１直線方向に移動し、移動する第１移動部材の第２傾斜面に第３傾斜面が摺接して第２移動部材が付勢部材の付勢力に抗して逆方向に移動し、係止凸部が係止凹部から離脱してロックが解除する。よって、操作ハンドルを掴んで集塵装置を載置部から取り外すことができる。
【００７５】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００７６】
１  電気掃除機
１１  駆動装置
１１ｅ  載置部
１１ｅｂ  係止凹部
１２、１１２、２１２  集塵装置
１２ｂ、１１２ｂ、２１２ｂ  カバー部（外郭部）
１２ｂｆ、１１２ｂｆ、２１２ｂｆ  収納凹部
１２ｂｇ、１１２ｂｇ、２１２ｂｇ  外面（露出面）
１２ｄ、１１２ｄ、２１２ｄ  ロック機構部
１２ｄａ、１１２ｄａ、２１２ｄａ  操作ハンドル
１２ｄｂ  係止凸部
１２ｄｄ、１１２ｄｄ、２１２ｄｄ  上外面
１２ｇ、２１２ｇ  第１移動部材
１２ｇａ、２１２ｇａ  第１傾斜面
１２ｈ  移動部材
１２ｈａ、２１２ｂｇ  第２傾斜面
１２ｉ  カム部
１１２ｇ  軸部
１１２ｉ、２１２ｉ  付勢部材
２１２ｄｘ  軸
２１２ｈ  第２移動部材
２１２ｈａ  第３傾斜面
Ａ  第１直線方向
Ｂ  第２直線方向
Ｐ  軸心
【図１】
2020137835.tif 000003
【図２】
2020137835.tif 000004
【図３】
2020137835.tif 000005
【図４】
2020137835.tif 000006
【図５】
2020137835.tif 000007
【図６】
2020137835.tif 000008